(57)【要約】【課題】室外機において電力を低減する事象が発生した場合、室内機において電力を低減させることを目的とする。また室内機において電力を低減する事象が発生した場合、室外機において電力を低減させることを目的とする。また一の室外機において電力を低減する事象が発生した場合、他の室外機において電力を低減させることを目的とする。【解決手段】室外機は、自身において電力を低減する事象が発生した場合、これと冷媒が循環する室内機に対して、電力を低減するように指示する。室内機は、自身において電力を低減する事象が発生した場合、これと冷媒が循環する室外機に対して、電力を低減するように指示する。一の室外機は、自身において電力を低減する事象が発生した場合、これと通信が授受される他の室外機に対して、電力を低減するように指示する。【選択図】図１
2008224086.tif 000002
【特許請求の範囲】
【請求項１】
室内機（２ｋ；２１ａ，２１ｂ）との間で通信の授受と冷媒の循環が行われる室外機（１ｋ；１１）であって、自身において消費電力を低減する事象が発生した場合（Ｓ１１，Ｓ１２）、前記室内機へと消費電力を低減する指示を与える（Ｓ１３）室外機。
【請求項２】
前記事象は、前記室外機の故障の発生（Ｓ１１）、外気温度の許容範囲からの逸脱（Ｓ１２）の少なくともいずれか一つである、請求項１記載の室外機（１ｋ）。
【請求項３】
前記事象が発生した場合、自身の前記消費電力を低減する処理を行う（Ｓ２２，Ｓ３３）、請求項１及び請求項２のいずれか一つに記載の室外機（１ｋ；１１）。
【請求項４】
前記室外機における前記処理は、前記室外機において前記冷媒を圧縮する処理の停止（Ｓ２２，Ｓ３３）である、請求項３記載の室外機。
【請求項５】
請求項１乃至請求項４のいずれか一つに記載の室外機（１ｋ）と、
前記室外機との間で前記通信の授受と前記冷媒の循環が行われ、前記室外機から前記指示を受けたことに応答して、自身での前記消費電力を低減する処理を行う室内機（２ｋ；２１ａ，２１ｂ）と
を備える空気調和機。
【請求項６】
前記室内機（２ｋ；２１ａ，２１ｂ）における前記処理は、前記室内機における通信機能の一時停止（Ｔ２２）、温度検出の停止の少なくともいずれか一つである、請求項５記載の空気調和機。
【請求項７】
室外機（１ｋ；１１）との間で通信の授受と冷媒の循環が行われる室内機（２ｋ；２１ａ，２１ｂ）であって、自身において消費電力を低減する事象が発生した場合（Ｔ１１，Ｔ１２，Ｔ１３）、前記室外機へと消費電力を低減する指示を与える（Ｔ２４）室内機。
【請求項８】
前記事象は、前記室内機の故障の発生（Ｔ１１）、サーモオフ（Ｔ１２）、外部（３ｋ）からの停止指令（Ｔ１３）の少なくともいずれか一つである、請求項７記載の室内機（２ｋ；２１ａ，２１ｂ）。
【請求項９】
前記事象が発生した場合、自身の前記消費電力を低減する処理を行う（Ｔ２２）、請求項７及び請求項８のいずれか一つに記載の室内機（２ｋ；２１ａ，２１ｂ）。
【請求項１０】
前記室内機における前記処理は、通信機能の一時停止（Ｔ２２）、前記室内機（２ｋ；２１ａ，２１ｂ）における温度検出の停止の少なくともいずれか一つである、請求項９記載の室内機。
【請求項１１】
請求項７乃至請求項１０のいずれか一つに記載の室内機（２ｋ）と、
前記室内機との間で前記通信の授受と前記冷媒の循環が行われ、前記室内機から前記指示を受けたことに応答して、自身での前記消費電力を低減する処理を行う室外機（１ｋ）と
を備える空気調和機。
【請求項１２】
前記室外機（１ｋ）における前記処理は、前記室外機において前記冷媒を圧縮する処理の停止（Ｓ２２，Ｓ３３）である、請求項１１記載の空気調和機。
【請求項１３】
前記室内機（２１ａ，２１ｂ）は一の前記室外機（１１）に対して複数設けられ、
当該室外機は一の前記室内機から前記指示を受けたことに対応して、他の前記室内機へと消費電力を低減する指示を与える（Ｓ３２）、請求項５，６，１１，１２のいずれか一つに記載の空気調和機。
【請求項１４】
相互に通信の授受が行われる、空気調和機の室外機（１１，１２，…，１ｎ）であって、自身において消費電力を低減する事象が発生した場合（Ｓ４１）、他の前記室外機へと消費電力を低減する指示を与える（Ｓ４２）室外機。
【請求項１５】
前記事象が発生した場合、自身の前記消費電力を低減する処理を行う（Ｓ４２，Ｓ４４）、請求項１４に記載の室外機（１ｋ；１１）。
【請求項１６】
他の前記室外機から前記指示を受けたことに対応して、自身の消費電力を低減する処理を行う（Ｓ４４）、請求項１４及び請求項１５のいずれか一つに記載の室外機。
【発明の詳細な説明】
【技術分野】
【０００１】
この発明は空気調和機において電力を低減する技術に関する。
【背景技術】
【０００２】
従来から、室外機や室内機において、それぞれ個別に電力の低減、例えば待機電力の低減が行われてきた。
【０００３】
【特許文献１】特開２００１−２４８８７７号公報
【特許文献２】特開２００１−４１５３０号公報
【特許文献３】特開２０００−２８１９１号公報
【特許文献４】特開２０００−５５４３９号公報
【発明の開示】
【発明が解決しようとする課題】
【０００４】
しかし電力低減を行う事象が室外機において発生した場合、室内機においても電力低減を行うことができる場合があり、逆に斯かる事象が室内機において発生した場合、室外機においても電力低減を行うことができる場合がある。また室外機が複数存在する場合、一の室外機において斯かる事象が発生した場合、他の室外機の電力低減を行うことができる場合もある。
【０００５】
そこでこの発明は、室外機において電力を低減する事象が発生した場合、室内機において電力を低減させることを目的とする。また室内機において電力を低減する事象が発生した場合、室外機において電力を低減させることを目的とする。また一の室外機において電力を低減する事象が発生した場合、他の室外機において電力を低減させることを目的とする。
【課題を解決するための手段】
【０００６】
この発明にかかる室外機の第１の態様は、室内機（２ｋ；２１ａ，２１ｂ）との間で通信の授受と冷媒の循環が行われる室外機（１ｋ；１１）であって、自身において消費電力を低減する事象が発生した場合（Ｓ１１，Ｓ１２）、前記室内機へと消費電力を低減する指示を与える（Ｓ１３）。
【０００７】
この発明にかかる室外機の第２の態様は、その第１の態様であって、前記事象は、前記室外機の故障の発生（Ｓ１１）、外気温度の許容範囲からの逸脱（Ｓ１２）の少なくともいずれか一つである。
【０００８】
この発明にかかる室外機の第３の態様は、その第１乃至第２の態様のいずれかであって、前記事象が発生した場合、自身の前記消費電力を低減する処理を行う（Ｓ２２，Ｓ３３）。
【０００９】
この発明にかかる室外機の第４の態様は、その第３の態様であって、前記室外機における前記処理は、前記室外機において前記冷媒を圧縮する処理の停止（Ｓ２２，Ｓ３３）である。
【００１０】
この発明にかかる空気調和機の第１の態様は、室外機の第１乃至第４の態様のいずれか一つ（１ｋ）と、前記室外機との間で前記通信の授受と前記冷媒の循環が行われ、前記室外機から前記指示を受けたことに応答して、自身での前記消費電力を低減する処理を行う室内機（２ｋ；２１ａ，２１ｂ）とを備える。
【００１１】
この発明にかかる空気調和機の第２の態様は、その第１の態様であって、前記室内機（２ｋ；２１ａ，２１ｂ）における前記処理は、前記室内機における通信機能の一時停止（Ｔ２２）、温度検出の停止の少なくともいずれか一つである。
【００１２】
この発明にかかる室内機の第１の態様は、室外機（１ｋ；１１）との間で通信の授受と冷媒の循環が行われる室内機（２ｋ；２１ａ，２１ｂ）であって、自身において消費電力を低減する事象が発生した場合（Ｔ１１，Ｔ１２，Ｔ１３）、前記室外機へと消費電力を低減する指示を与える（Ｔ２４）。
【００１３】
この発明にかかる室内機の第２の態様は、その第１の態様であって、前記事象は、前記室内機の故障の発生（Ｔ１１）、サーモオフ（Ｔ１２）、外部（３ｋ）からの停止指令（Ｔ１３）の少なくともいずれか一つである。
【００１４】
この発明にかかる室内機の第３の態様は、その第１乃至第２の態様のいずれかであって、前記事象が発生した場合、自身の前記消費電力を低減する処理を行う（Ｔ２２）。
【００１５】
この発明にかかる室内機の第４の態様は、その第３の態様であって、前記室内機における前記処理は、通信機能の一時停止（Ｔ２２）、前記室内機（２ｋ；２１ａ，２１ｂ）における温度検出の停止の少なくともいずれか一つである。
【００１６】
この発明にかかる空気調和機の第３の態様は、室内機の第１乃至第４の態様のいずれか一つ（２ｋ）と、前記室内機との間で前記通信の授受と前記冷媒の循環が行われ、前記室内機から前記指示を受けたことに応答して、自身での前記消費電力を低減する処理を行う室外機（１ｋ）とを備える。
【００１７】
この発明にかかる空気調和機の第４の態様は、その第３の態様であって、前記室外機（１ｋ）における前記処理は、前記室外機において前記冷媒を圧縮する処理の停止（Ｓ２２，Ｓ３３）である。
【００１８】
この発明にかかる空気調和機の第５の態様は、その第１乃至第４の態様であって、前記室内機（２１ａ，２１ｂ）は一の前記室外機（１１）に対して複数設けられ、当該室外機は一の前記室内機から前記指示を受けたことに対応して、他の前記室内機へと消費電力を低減する指示を与える（Ｓ３２）。
【００１９】
この発明にかかる室外機の５の態様は、相互に通信の授受が行われる、空気調和機の室外機（１１，１２，…，１ｎ）であって、自身において消費電力を低減する事象が発生した場合（Ｓ４１）、他の前記室外機へと消費電力を低減する指示を与える（Ｓ４２）。
【００２０】
この発明にかかる室外機の第６の態様は、その第５の態様であって、前記事象が発生した場合、自身の前記消費電力を低減する処理を行う（Ｓ４２，Ｓ４４）。
【００２１】
この発明にかかる室外機の第７の態様は、その第５乃至第６の態様のいずれかであって、他の前記室外機から前記指示を受けたことに対応して、自身の消費電力を低減する処理を行う（Ｓ４４）。
【発明の効果】
【００２２】
この発明にかかる室外機の第１の態様又は第２の態様によれば、室外機において電力を低減する事象が発生した場合、室内機において電力を低減させることができる。
【００２３】
この発明にかかる室外機の第３の態様又は第４の態様によれば、室外機において電力を低減する事象が発生した場合、自身において電力を低減させる。
【００２４】
この発明にかかる空気調和機の第１の態様又は第２の態様によれば、室外機において電力を低減する事象が発生した場合、室内機においても電力が低減する。
【００２５】
この発明にかかる室内機の第１の態様又は第２の態様によれば、室内機において電力を低減する事象が発生した場合、室外機において電力を低減させることができる。
【００２６】
この発明にかかる室内機の第３の態様又は第４の態様によれば、室内機において電力を低減する事象が発生した場合、自身において電力を低減させる。
【００２７】
この発明にかかる空気調和機の第３の態様又は第４の態様によれば、室内機において電力を低減する事象が発生した場合、室外機においても電力が低減する。
【００２８】
この発明にかかる空気調和機の第５の態様によれば、一の室内機において電力を低減する事象が発生した場合、他の室内機において電力を低減させることができる。
【００２９】
この発明にかかる室外機の第５の態様によれば、一の室外機において電力を低減する事象が発生した場合、他の室外機において電力を低減させることができる。
【００３０】
この発明にかかる室外機の第６の態様によれば、室外機において電力を低減する事象が発生した場合、自身において電力を低減させる。
【００３１】
この発明にかかる室外機の第７の態様によれば、他の室外機において電力を低減する事象が発生した場合、自身において電力を低減させることができる。
【発明を実施するための最良の形態】
【００３２】
第１の実施の形態．
図１はこの発明が適用される空気調和機の構成を例示するブロック図である。当該空気調和機は室外機１１、１２，…，１ｎ（ｎは正整数）と、室内機２１、２２，…，２ｎと、リモートコントローラ３１，３２，…，３ｎとを備えている。ここでは室外機１ｋと室内機２ｋ（ｋ＝１，２，…，ｎ）とは、相互に通信の授受と冷媒の循環が行われる。またリモートコントローラ３ｋは室内機２ｋ毎に設けられ、両者間においても相互に通信の授受が行われる。図１では室外機１１、１２，…，１ｎが相互に通信の授受が行われる。本件明細書において通信の授受は有線で行われているように結線が描かれているが、当該通信の授受は無線であっても構わない。
【００３３】
図２は室外機１ｋ及び室内機２ｋの内部構成を、他の室外機１ｊ（ｊ＝１，２，…，ｎかつｊ≠ｋ）及びリモートコントローラ３ｋとの接続と共に例示するブロック図である。
【００３４】
室外機１ｋは制御回路１０１と、駆動回路１０２と、駆動装置１０３と、通信回路１０４と、温度センサ１０５とを備えている。室内機２ｋは制御回路２０１と、駆動回路２０２と、駆動装置２０３と、通信回路２０４と、温度センサ２０５とを備えている。
【００３５】
駆動装置１０３は例えば圧縮機であり、駆動回路１０２は例えば圧縮機を駆動するインバータであり、制御回路１０１は例えばマイクロコンピュータである。通信回路１０４は通信回路２０４の他、室外機１ｊの図示されない通信回路との間で通信を授受する。温度センサ１０５は例えば外気温を測定する。
【００３６】
駆動装置２０３は例えば送風ファンであり、駆動回路２０２は例えば送風ファンを駆動するインバータであり、制御回路２０１は例えばマイクロコンピュータである。通信回路２０４は通信回路１０４との間で通信を授受する通信回路２０４ａの他、リモートコントローラ３ｋとの間で通信を授受する通信回路２０４ｂを有する。温度センサ１０５は例えば図示を省略した熱交換機の温度を測定する。
【００３７】
室外機の動作．
図３は室外機１ｋの、電力低減に関する動作を例示するフローチャートである。当該フローチャートは大まかにステップＳ１，Ｓ２に分けられる。ステップＳ１はステップＳ１１，Ｓ１２，Ｓ１３を含み、自身において消費電力を低減する事象が発生した場合に、室内機２ｋでの電力低減を促すステップである。ステップＳ２はステップＳ２１，Ｓ２２を含み、自身での電力低減を処理するステップである。
【００３８】
ステップＳ１１において、室外機１ｋ、とりわけ制御回路１０１は、自身において消費電力を低減する事象が発生したか否かを判断する。ここでは当該判断の基準を二つ有しており、それぞれステップＳ１１，Ｓ１２における判断基準として採用されている。
【００３９】
そしてステップＳ１１，Ｓ１２のいずれかによって当該事象が発生したと判断されれば、ステップＳ１３によって室内機２ｋへと消費電力を低減する指示を与える。当該指示は通信回路１０４によって室内機２ｋ、とりわけ通信回路２０４へと通信される。
【００４０】
かかる処理により、室外機１ｋにおいて電力を低減する事象が発生した場合、室内機２ｋにおいて電力を低減させることができる。ステップＳ１３の処理に対応して具体的に室内機２ｋがどのように動作するかは後述する。
【００４１】
ここでの例示では、ステップＳ１１では室外機１ｋの故障の発生が、ステップＳ１２では外気温度の許容範囲から逸脱したかが、それぞれ判断される。
【００４２】
ステップＳ１１にいう、室外機１ｋの故障の発生とは、例えば圧縮機の異常を検出した場合である。圧縮機に異常が発生した場合、正常な空調運転を行うことができない。よって室内機２ｋに対しても待機電力を低減させるべくステップＳ１３が実行される。
【００４３】
また外気温が許容範囲内に無い場合、例えば夏の外気温が過剰に高い場合、冷房運転をすることができない。よってこの場合にもステップＳ１３が実行される。
【００４４】
このような事象が発生した場合には、自身の消費電力を低減する処理も行うことが望ましい。よってステップＳ１３が実行される場合には、ステップＳ２２も実行される。ステップＳ２２では例えば圧縮機を一時的に停止して冷媒を圧縮する処理の停止を行う。圧縮機を起動しなおせばその異常から復旧する場合があるからである。また温度センサ１０５で測定された外気温は、真の外気温ではなく、過渡的、あるいは局所的に熱風に曝される場合があるからである。本発明では圧縮機の再起動は直接には関連しないので、その詳細は省略する。
【００４５】
ステップＳ１において上記の事象が自身に発生しないと判断された場合には、ステップＳ２に、具体的にはステップＳ２１に処理を進める。ステップＳ２１では、室内機２ｋから待機電力を低減する指示を受けたか否かが判断される。当該指示がどのようにして室内機２ｋから出力されるかについては後述する。当該指示を受けたことに応答して、処理はステップＳ２２に進み、自身での消費電力を低減する処理を行う。
【００４６】
ステップＳ２１において当該指示が無かったと判断されれば、図示されないメインルーチンに復帰する。当該メインルーチンでは、例えば通常の空気調和動作が処理される。
【００４７】
室内機の動作．
図４は室内機２ｋの、電力低減に関する動作を例示するフローチャートである。当該フローチャートは大まかにステップＴ１，Ｔ２に分けられる。ステップＴ１はステップＴ１１，Ｔ１２，Ｔ１３，Ｔ１４含み、自身において消費電力を低減する事象が発生した場合に、室外機１ｋでの電力低減を促すステップである。ステップＴ２はステップＴ２１，Ｔ２２を含み、自身での電力低減を処理するステップである。
【００４８】
ステップＴ１において、室内機２ｋ、とりわけ制御回路２０１は、自身において消費電力を低減する事象が発生したか否かを判断する。ここでは当該判断の基準を三つ有しており、それぞれステップＴ１１，Ｔ１２，Ｔ１３における判断基準として採用されている。
【００４９】
そしてステップＴ１１，Ｔ１２，Ｔ１３のいずれかによって当該事象が発生したと判断されれば、ステップＴ１４によって室外機１ｋへと消費電力を低減する指示を与える。当該指示は通信回路２０４によって室外機１ｋ、とりわけ通信回路１０４へと通信される。この指示がステップＳ２１にいう指示に相当する。
【００５０】
かかる処理により、室内機２ｋにおいて電力を低減する事象が発生した場合、室外機１ｋにおいてステップＳ２によって電力を低減させることができる。
【００５１】
ここでの例示では、ステップＴ１１では室内機２ｋの故障の発生が、ステップＴ１２ではサーモオフの発生が、ステップＴ１３では外部、例えばリモートコントローラ（図中では「リモコン」と略記）３ｋによる動作停止の指令があるかが、それぞれ判断される。
【００５２】
ステップＴ１１にいう、室内機２ｋの故障の発生とは、例えば送風ファンの異常を検出した場合である。送風ファンに異常が発生した場合、正常な空調運転を行うことができない。よって室外機１ｋに対しても待機電力を低減させるべくステップＴ１４が実行される。
【００５３】
またサーモオフした場合、室外機の冷媒圧縮能力が小さくてなってもよい。よって待機電力を低減させるべくステップＴ１２からステップＴ１４へと処理が進む。リモートコントローラ３ｋによる動作停止の指令を受けた場合も同様である。
【００５４】
このような事象が発生した場合には、自身の消費電力を低減する処理も行うことが望ましい。よってステップＴ１４が実行される場合には、ステップＴ２２も実行される。ステップＴ２２では例えば通信回路２０４ａを一時的に停止する。完全に停止してしまうと、その後の室外機１ｋとの通信の授受が一切できなくなってしまうという不都合があるので、一旦は停止して待機電力の低減を図りつつ、後に再起動するのである。本発明では通信回路２０４の再起動は直接には関連しないので、その詳細は省略する。またリモートコントローラ３ｋからの指令を受信できるように、また室外機１ｋとの通信機能を停止したことをリモートコントローラ３ｋで表示できるように、その動作を維持しておく。
【００５５】
あるいはステップＴ２２においては、温度センサ２０５による温度検出の停止を行ってもよい。斯かる処理によっても消費電力を低減できる。
【００５６】
ステップＴ１において上記の事象が自身に発生しないと判断された場合には、ステップＴ２に、具体的にはステップＴ２１に処理を進める。ステップＴ２１では、室外機１ｋから待機電力を低減する指示を受けたか否かが判断される。当該指示はステップＳ１３の指示に相当する。当該指示を受けたことに応答して、処理はステップＴ２２に進み、自身での消費電力を低減する処理を行う。
【００５７】
ステップＴ２１において当該指示が無かったと判断されれば、図示されないメインルーチンに復帰する。当該メインルーチンでは、例えば通常の空気調和動作が処理される。
【００５８】
第２の実施の形態．
図５はこの発明が適用される空気調和機の他の構成を例示するブロック図である。当該空気調和機は室外機１１（あるいは更に他の室外機を備えていてもよい）と、室内機２１ａ、２１ｂと、リモートコントローラ３１とを備えている。室外機１１と室内機２１ａ、２１ｂとは、相互に通信の授受と冷媒の循環が行われる。またリモートコントローラ３１は室内機２１ａと相互に通信の授受が行われる。
【００５９】
室外機１１や室内機２１ａ，２１ｂの構成は、図２に例示された構成を採る。図５では室外機１１以外の室外機の存在も想定して、室外機１１から他所への通信を示す線も途中まで描いている。
【００６０】
図６は本実施の形態における室外機１１の、電力低減に関する動作を例示するフローチャートである。当該動作を処理するステップＳ３は、例えば図３に示されたフローチャートのステップＳ２と並行して処理される。本実施の形態においても室内機２１ａ、２１ｂは、図４のフローチャートが実行される。
【００６１】
ステップＳ３１において室外機１１が、一の室内機、例えば室内機２１ａから待機電力を低減する指示を受けたか否かが判断される。当該指示は、図４のステップＴ１４で処理される指示に相当する。ステップＴ１４に相当する指示を受けていなければステップＳ３２，Ｓ３３は実行されない。当該指示を受けていればステップＳ３２へと処理を進め、当該指示に対応して、他の室内機、例えば室内機２１ｂへと消費電力を低減する指示を与える。ステップＳ３２で処理される指示は図４のステップＴ２１にいう指示に相当する。
【００６２】
このようにして、一の室内機２１ａにおいて電力を低減する事象が発生した場合、他の室内機２１ｂにおいて電力を低減させることができる。
【００６３】
また、ステップＳ３２が実行される場合には、自身の消費電力を低減する処理も行うことが望ましい。よってステップＳ３２が実行される場合には、ステップＳ３３も実行される。ステップＳ３３ではステップＳ２２と同様、例えば圧縮機を一時的に停止して冷媒を圧縮する処理の停止を行う。
【００６４】
このようにして、一の室内機において電力を低減する事象が発生した場合、室外機において電力を低減させることができる。
【００６５】
第３の実施の形態．
第１及び第２の実施の形態では、室内機と室外機との間で、電力低減の指示を行き来させていたが、室外機同士で当該指示を行わせてもよい。
【００６６】
図７は、たとえば図１に示された構成における室外機１ｋの、電力低減に関する動作を例示するフローチャートである。上述のように室外機１ｋは他の室外機と通信の授受が行われる。
【００６７】
ステップＳ４１において、ステップＳ１１と同様にして、自身において消費電力を低減する事象が発生したか否かを判断する。ここでは故障が発生したか否かが判断される。当該事象が発生したと判断されれば、ステップＳ４２によって他の室外機へと消費電力を低減する指示を与える。当該指示は通信回路１０４によって他の室外機の通信回路１０４へと通信される。これにより、自身において電力を低減する事象が発生した場合、他の室外機において電力を低減させることができる。
【００６８】
他方、ステップＳ４１において当該事象の発生がないと判断された場合であれば、ステップＳ４３へと処理が進み、他の室外機から待機電力を低減する指示を受けたか否かが判断される。当該指示は、他の室外機においてステップＳ４２が実行された結果、他の室外機から出力されたものである。
【００６９】
当該指示を受けていれば、ステップＳ４４へと処理が進み、自身自身において消費電力を低減させる処理を行う。当該処理として、ここでは圧縮機の一時的停止が例示されている。よって他の室外機において電力を低減する事象が発生した場合、自身において電力を低減させることができる。
【００７０】
また、自身において当該事象が発生している場合、自身の消費電力を低減することが望ましい。よってステップＳ４２が実行される場合にもステップＳ４４を実行する。なお、ステップＳ１３と同様に室内機に待機電力を低減する指示を行うステップＳ４５を、ステップＳ４４と併せて実行することが望ましい。
【００７１】
以上のようにして、室外機同士で消費電力の低減を指示し合うことができるので、空気調和機全体としての消費電力を低減することができる。
【図面の簡単な説明】
【００７２】
【図１】この発明が適用される空気調和機の構成を例示するブロック図である。
【図２】室外機及び室内機の内部構成を例示するブロック図である。
【図３】第１の実施の形態における室外機の、電力低減に関する動作を例示するフローチャートである。
【図４】第１の実施の形態における室内機の、電力低減に関する動作を例示するフローチャートである。
【図５】この発明が適用される空気調和機の他の構成を例示するブロック図である。
【図６】第２の実施の形態における室外機の、電力低減に関する動作を例示するフローチャートである。
【図７】第３の実施の形態における室外機の、電力低減に関する動作を例示するフローチャートである。
【符号の説明】
【００７３】
１１，１２，…，１ｎ，１ｋ  室外機
２１，２２，…，２ｎ，２ｋ，２１ａ，２１ｂ  室内機
３１，３２，…，３ｎ，３ｋ  リモートコントローラ
【図１】
2008224086.tif 000003
【図２】
2008224086.tif 000004
【図３】
2008224086.tif 000005
【図４】
2008224086.tif 000006
【図５】
2008224086.tif 000007
【図６】
2008224086.tif 000008
【図７】
2008224086.tif 000009